(57)【要約】【課題】ステント内に異物が入り難い弁付ステントを提供すること。【解決手段】弁付ステント１０は、本体１２の全周に、体内で靡く程度の柔軟性を有する複数の靡き部材２２が設けられているため、従来の筒状の弁体に比べ、弁体である靡き部材２２が撓み易く、且つ、靡き部材２２の軸方向寸法が本体１２の内径Ｄ以上であるため、一部の靡き部材２２が本体１２の内側に向けて撓んだ場合に本体１２の開口部を覆い易いので、本体１２内に異物が入り込むのを防止し易い。【選択図】図１
2018082736.tif 000002
【特許請求の範囲】
【請求項１】
筒状の本体の端部に弁体を具えた弁付ステントにおいて、
前記弁体は、前記本体の全周に設けられている、複数の靡き部材であり、
前記靡き部材の軸方向寸法が前記本体の内径以上であることを特徴とする、
弁付ステント。
【請求項２】
隣り合う前記靡き部材の一部が重なり合っている、請求項１の弁付ステント。
【請求項３】
前記靡き部材が前記本体の径方向に対して複数の層を形成している、請求項１又は２の弁付ステント。
【請求項４】
前記靡き部材の先端が前記本体の軸心に集中している、請求項１から３のいずれかの弁付ステント。
【発明の詳細な説明】
【技術分野】
【０００１】
本発明は、内視鏡を通じて体腔内に挿入され、胆管等の管状器官に留置されるステントに関し、より具体的には、異物の混入を防ぐための弁を具えたチューブステントに関する。
【背景技術】
【０００２】
チューブステントは、内視鏡を通じて、例えば、胆管や尿管、血管等の管状器官に留置され、当該管状器官を流れる胆汁や尿、血液等の流れを確保し、或いは、動脈瘤など、管状器官が瘤状に膨張した箇所に留置され、当該瘤が破裂するのを防止する目的などに使用されている。そして、チューブステントには、管状器官を流れる流体が逆流しないように、或いは、異物がチューブステント内部を通過しないように弁を具えたものがあり、その例として、次に挙げるものがある。
【先行技術文献】
【特許文献】
【０００３】
【特許文献１】特開２００６−２６３４３６号公報
【特許文献２】特開平３−１９８８４４号公報
【特許文献３】特開２０１５−１２６７８６号公報
【０００４】
特許文献１には、食道に留置される弁付ステントであって、ステント本体の一端に筒状のフレキシブルチューブを具え、そのフレキシブルチューブが弾性心材を具えることにより、フレキシブルチューブの裏返しを防止したものが開示されている。
【０００５】
特許文献２には、食道や大腸、直腸に留置されるステントであって、ステント本体の一端に、足ひれ状の複数の弁体からなる逆流防止弁を具え、食物等がステント本体内部を通過する際に、弁体が開口動作をするように構成されているステントが開示されている。
【０００６】
特許文献３には、メッシュ状の金属製円筒の内側と外側にカバーが被覆されたステントにおいて、本体の一端に内側カバーを利用したチャック状の弁体、具体的には、先端が閉じており、軸方向にスリットが設けられている弁体であって、その先端がステント本体の先端と略同じ位置となるように構成されている弁付ステントが開示されている。
【発明の概要】
【発明が解決しようとする課題】
【０００７】
特許文献１が開示している弁付ステントは、胆管留置用のステントとしても使用できるとされているが、弁体が筒状であり、さらに、弾性心材を具えるので、食物残渣等の比較的軽い、小さな異物が弁体に当たったときに、弁体が撓まず、ステント内に異物が入り込み、通過してしまう可能性がある。
【０００８】
一方、特許文献２が開示している弁付ステントの場合、食道や大腸、直腸に留置されるのが前提で、その弁体は、通常時に閉口しており、食物等が通過する際に開口するものであるから、このステントを胆管等に留置した場合、胆汁が通過しようとする際に弁体が開かず、詰まってしまう恐れがある。
【０００９】
また、特許文献３が開示している弁付ステントの場合、弁体の先端がステント本体の先端と略同じ位置となるように構成されているので、各弁体片の一部が撓んでいる状態だと弁体に隙間が生じ、ステント内に異物が入り込み、通過してしまう可能性がある。
【００１０】
そこで、本発明は、前述した問題点に鑑み、ステント内に異物が入り難い弁付ステントを提供することをその目的とする。
【課題を解決するための手段】
【００１１】
本発明は、筒状の本体の端部に弁体を具えた弁付ステントにおいて、
前記弁体は、前記本体の全周に設けられている、複数の靡き部材であり、
前記靡き部材の軸方向寸法が前記本体の内径以上であることを特徴とする弁付ステントによって前記課題を解決した。
【発明の効果】
【００１２】
本発明によれば、靡き部材が弁付ステントの本体の全周に複数設けられているため、筒状の弁体に比べ、弁体である靡き部材が撓み易い。また、靡き部材の軸方向寸法が本体の内径以上であるため、一部の靡き部材が本体の内側に向けて撓んだ場合に本体の開口部を覆い易い。よって、本体内に異物が入り込むのを防止し易い。また、靡き部材は、体内で靡く程度の柔軟性を有するものであるため、胆汁等の液体のみであっても、弁体によって遮られることなく、ステント内を通過することができる。
【００１３】
また、隣り合う靡き部材の一部が重なり合っている構成とすれば、靡き部材同士の間に隙間が生じないので、本体内部に異物が入り込むのをさらに防止することができる。靡き部材が本体の径方向に対して複数の層を形成する構成としても同様の効果を奏することができる。
【００１４】
また、靡き部材の先端が本体の軸心に集中している構成とすれば、弁体の開口部を小さくし、靡き部材同士の間の隙間を小さくすることができるので、本体内部に異物が入り込むのをさらに防止することができる。
【図面の簡単な説明】
【００１５】
【図１】本発明の第１実施形態の正面図。
【図２】本発明の第２実施形態の正面図。
【図３】本発明の第３実施形態の要部拡大斜視図。
【図４】本発明の第４実施形態の正面図。
【図５】図４の右側面図。
【図６】本発明の第５実施形態の正面図。
【発明を実施するための形態】
【００１６】
以下、本発明の実施形態を図１〜６を参照して説明する。但し、本発明はこの実施形態に限定されるものではない。
【００１７】
図１は、本発明の第１実施形態の弁付ステント１０を示している。弁付ステント１０は、チューブステントであり、一端部１４と他端部１６を有する筒状の本体１２を具えている。本体１２の内径Ｄは、一端部１４から他端部１６まで同一である。また、本体１２は、一端部１４側に、こぶ状体用孔１７が設けられ、フラップ１８と弁体２０が取付けられている。フラップ１８は、弁付ステント１０が留置される管状器官に本体１２が挿入され過ぎないようにするため、任意に設けられるものである。
【００１８】
弁付ステント１０の弁体２０は、本体１２の全周に亘って設けられている複数の靡き部材２２から構成されている。靡き部材２２は、体内で靡く程度の柔軟性を有するものであり、例えば、図示しているような薄いシート状とすることができ、ポリエチレン、ポリウレタン、ポリアミド（ナイロン）、ＰＴＦＥなどのフッ素系樹脂やシリコン等、人体に害のない素材で内臓器官に傷を付けない様に構成する。本構成により、筒状の弁体に比べて撓み易くすることができる。靡き部材２２同士の間の隙間は、異物の進入を防ぐために小さい方が望ましい。
【００１９】
また、靡き部材２２は、弁付ステント１０の軸方向の寸法Ｌが、本体１２の内径Ｄよりも大きくなるように構成される。これにより、一部の靡き部材２２が本体１２の内側に向けて撓んだ場合に本体１２の弁体２０が取付けられている側（弁付ステント１０では一端部１４側）の開口部を覆い易い。よって、本体１２内に異物が入り込むのを防止し易い。靡き部材２２の具体的な軸方向寸法Ｌは、弁付ステント１０の用途、すなわち、留置箇所によって異なる。なお、靡き部材２２のそれぞれの寸法を揃える必要はない。
【００２０】
弁付ステント１０の本体１２は、一端部１４側に、こぶ状体用孔１７を有している。こぶ状体用孔１７は、特許第４９１３２５１号に開示されているような、ステントデリバリーシステムを適用する際に用いられる。ステントデリバリーシステムについての図示を伴う詳細な説明は省略するが、こぶ状体用孔１７は、ステント１０の本体１２の内径Ｄ以下の径を有し（図１ではステント１０を誇張している。）、要は、弁付ステント１０を留置箇所まで押すためのプッシャ―カテーテル（図示省略）に設けられる糸状体のこぶ状体を本体１２の内側から遊嵌させるために使用されるものである。ここで、こぶ状体用孔１７は、本体１２の径方向に設けられる貫通孔であるため、異物の進入経路となり得る。しかし、図示しているように、こぶ状体用孔１７を弁体２０で覆う構成とすれば、異物の本体１２内部への進入を防ぐことができる。
【００２１】
図２は、本発明の第２実施形態の弁付ステント１０ａを示している。弁付ステント１０ａの構造は弁付ステント１０と略同じであるが、弁体の構成が異なる。すなわち、本発明の弁体としては、弁体２０ａのように、靡き部材２２と本体１２の間に筒状部２４を具えていてもよい。要するに、靡き部材２２が体内で靡く程度に柔軟性を有するものであって、靡き部材２２の軸方向寸法Ｌが本体１２の内径Ｄよりも大きくされていればよいのである。
【００２２】
図３は、本発明の第３実施形態の弁付ステント１０ｂを示している。弁付ステント１０ｂの基本的な構成は、弁付ステント１０と同様であるため、要部のみを示す。弁付ステント１０ｂの弁体２０ｂのように、隣り合うシート状の靡き部材２２の一部を重ね合わせた構成とするのがよい。本構成により、靡き部材２２同士の間に隙間が生じ難いので、本体１２内部に異物が入り込むのをさらに防止することができるからである。
【００２３】
また、図４に示す弁付ステント１０ｃの弁体２０ｃのように、靡き部材２２ａの先端（本体１２に対する遠位端）を本体１２の軸心に集中させてもよい（図５も参照）。本構成によれば、弁付ステント１０に比べ、弁体の開口部を小さくすることができ、また、靡き部材同士の間の隙間を小さくすることができるので、本体１２内部に異物が入り込むのをさらに防止することができる。
【００２４】
また、図６に示す弁付ステント１０ｄの弁体２０ｄのように、本体１２の内径Ｄ以上の軸方向寸法Ｌを有する、細い、糸状の靡き部材２２ａとすることによって、体内で靡く程度の柔軟性を具えた構成としてもよい。糸状の靡き部材２２ａは、靡き易く、シート状の靡き部材（図１〜３参照）に比べて柔らかいので、内臓器官を傷付け難い。なお、弁付ステント１０と同様のこぶ状体用孔１７を具えた構成とすることもでき、また、弁付ステント１０ｃのように、糸状の靡き部材２２ａの先端を本体１２の軸心に集中させることにより、異物の本体１２内部への進入を一層防止することもできる。
【００２５】
以上に説明したシート状又は糸状の靡き部材２２〜２２ｂは、本体１２の径方向に対して複数の層を形成するように構成することもできる。これにより、靡き部材２２〜２２ｂ同士の間に隙間が生じないので、本体内部に異物が入り込むのを防止し易くすることができる。
【００２６】
本発明は、管状器官に留置される周知のチューブステントに適用することができるものであるが、上記に説明した、ストレートタイプの本体を具えるチューブステントの他、Ｙ字形やピッグテイル形のチューブステントにも適用可能である。また、弁体を一端部と他端部の両方に具えることもできる。また、本体と靡き部材を一体形成してもよい。
【００２７】
以上に説明したように、本発明によれば、ステント内に異物が入り難い弁付ステントを提供することができる。
【符号の説明】
【００２８】
１０〜１０ｄ  弁付ステント
１２    本体
２０〜２０ｄ  弁体
２２〜２２ｂ  靡き部材
Ｄ    本体の内径
Ｌ    靡き部材の軸方向寸法
【図１】
2018082736.tif 000003
【図２】
2018082736.tif 000004
【図３】
2018082736.tif 000005
【図４】
2018082736.tif 000006
【図５】
2018082736.tif 000007
【図６】
2018082736.tif 000008
【手続補正書】
【提出日】平成29年5月8日(2017.5.8)
【手続補正１】
【補正対象書類名】特許請求の範囲
【補正対象項目名】請求項１
【補正方法】変更
【補正の内容】
【請求項１】
筒状の本体の端部に弁体を具えた弁付ステントにおいて、
前記弁体は、前記本体の全周に設けられている、体内で靡く程度の柔軟性を有する複数の靡き部材であり、
前記靡き部材の軸方向寸法が前記本体の内径以上であることを特徴とする、
弁付ステント。
【手続補正２】
【補正対象書類名】明細書
【補正対象項目名】００１１
【補正方法】変更
【補正の内容】
【００１１】
本発明は、筒状の本体の端部に弁体を具えた弁付ステントにおいて、
前記弁体は、前記本体の全周に設けられている、体内で靡く程度の柔軟性を有する複数の靡き部材であり、
前記靡き部材の軸方向寸法が前記本体の内径以上であることを特徴とする弁付ステントによって前記課題を解決した。
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
筒状の本体の端部に弁体を具えた、胆管又は尿管に留置される弁付ステントにおいて、
前記弁体は、前記本体の全周に設けられ、該本体の軸方向に延びる、体内で靡く程度の柔軟性を有する複数の靡き部材であり、
前記靡き部材の軸方向寸法が前記本体の内径以上であることを特徴とする、
弁付ステント。
【請求項２】
隣り合う前記靡き部材の一部が重なり合っている、請求項１の弁付ステント。
【請求項３】
前記靡き部材が前記本体の径方向に対して複数の層を形成している、請求項１又は２の弁付ステント。
【請求項４】
前記靡き部材の先端が前記本体の軸心に集中している、請求項１から３のいずれかの弁付ステント。
【手続補正２】
【補正対象書類名】明細書
【補正対象項目名】００１１
【補正方法】変更
【補正の内容】
【００１１】
本発明は、筒状の本体の端部に弁体を具えた、胆管又は尿管に留置される弁付ステントにおいて、
前記弁体は、前記本体の全周に設けられ、該本体の軸方向に延びる、体内で靡く程度の柔軟性を有する複数の靡き部材であり、
前記靡き部材の軸方向寸法が前記本体の内径以上であることを特徴とする弁付ステントによって前記課題を解決した。
【手続補正３】
【補正対象書類名】明細書
【補正対象項目名】００１８
【補正方法】変更
【補正の内容】
【００１８】
弁付ステント１０の弁体２０は、本体１２の全周に亘って設けられ、本体１２の軸方向に延びる、複数の靡き部材２２から構成されている。靡き部材２２は、体内で靡く程度の柔軟性を有するものであり、例えば、図示しているような薄いシート状とすることができ、ポリエチレン、ポリウレタン、ポリアミド（ナイロン）、ＰＴＦＥなどのフッ素系樹脂やシリコン等、人体に害のない素材で内臓器官に傷を付けない様に構成する。本構成により、筒状の弁体に比べて撓み易くすることができる。靡き部材２２同士の間の隙間は、異物の進入を防ぐために小さい方が望ましい。
【手続補正４】
【補正対象書類名】明細書
【補正対象項目名】００２６
【補正方法】変更
【補正の内容】
【００２６】
本発明は、管状器官であって胆管又は尿管に留置される周知のチューブステントに適用することができるものであるが、上記に説明した、ストレートタイプの本体を具えるチューブステントの他、Ｙ字形やピッグテイル形のチューブステントにも適用可能である。また、弁体を一端部と他端部の両方に具えることもできる。また、本体と靡き部材を一体形成してもよい。